(57)【特許請求の範囲】
【請求項１】
新設するネットワーク方式連動システムと制御・表示情報を授受するシステム入出力インタフェースと、該システム入出力インタフェースと現場機器駆動部との間の制御・表示条件を授受する機器入出力インタフェースとを有する現場制御端末及び前記現場機器駆動部を備えた現場機器であって、
前記現場制御端末は、前記ネットワーク方式連動システムから出力するシステム切替制御データにより制御されるとともに自現場制御端末に故障が発生するとコイルが非励磁になる故障検知リレーを有し、前記ネットワーク方式連動システムから出力するシステム切替制御データにより前記故障検知リレーのコイルが非励磁となり復旧接点が閉成されたとき、既設の連動システムと前記現場機器駆動部とを接続し、前記ネットワーク方式連動システムから出力するシステム切替制御データにより前記故障検知リレーのコイルが励磁されて動作接点が閉成されたとき、前記機器入出力インタフェースと前記現場機器駆動部とを接続し、この状態で自現場制御端末に故障が発生して前記故障検知リレーのコイルが非励磁となり復旧接点が閉成されたとき、前記機器入出力インタフェースと前記現場機器駆動部との接続を遮断することを特徴とするネットワーク方式連動システムの現場機器。
【発明の詳細な説明】
【技術分野】
【０００１】
この発明は、ネットワーク方式連動システムの現場機器、特に既設の連動システムをネットワーク式連動システムに切り替えときの切替時間の短縮に関するものである。
【背景技術】
【０００２】
鉄道の分野では列車を安全かつ効率的に運行するため、信号機や転てつ機などの相互間で、その取扱いについて一定の順序と制限をつける連動装置が使用されている。この連動装置で信号機や転てつ機などの現場機器の更新作業や新設作業の簡素化を図ったネットワーク式連動システムが特許文献１に開示されている。
【０００３】
特許文献１に示されたネットワーク方式連動システムは、信号機や転てつ機等の鉄道信号現場機器に対する制御情報を作成する連動論理装置と、連動論理装置に通信回線を介して接続されて複数の鉄道信号現場機器に対して制御出力を行う複数の現場制御端末とを有する。そして連動論理部装置から複数の現場制御端末に対して送信する制御情報に複数の現場機器に対する設備データ群、例えば各転てつ機や信号機等の種別データと各転てつ機等が接続されている現場制御端末の番号データ等を含ませ、複数の現場制御端末には各転てつ機等に関する設備データ群を持たせる必要をなくして連動論理装置で全ての現場制御端末の制御情報に関するデータ等を共通化している。
【０００４】
このネットワーク方式連動システムで現場機器を更新あるいは新設するときは、連動論理装置の設備データ群と現場制御端末の番号データを設定するだけで更新や新設作業を行い、更新作業等を簡素化するようにしている。
【０００５】
このネットワーク方式連動システムを既設の連動システムに置き換える場合、ネットワーク方式連動システムの確認試験を行う必要がある。このネットワーク方式連動システムの確認試験を行うとき、更新する既設の連動システムと新規のネットワーク方式連動システムの接続を切り替えて行う。
【０００６】
この既設の連動システムと新規のネットワーク方式連動システムの接続を切り替える方法として、特許文献２に示すように、切替リレー装置を機器室に設けて切り替える方法が開示されている。この切替リレー装置を設けて切り替える方法は、図３に示すように、多数の切替スイッチ２１とコネクタ２２を有する切替リレー装置２３に既設の連動システム２４と現場機器２５及び新規の連動システム２６をケーブルで接続し、この切替リレー装置２３の切替スイッチ２１を操作して現場機器２５に対する既設の連動システム２４と新規の連動システム２６の接続を切り替えて既設の連動システム２４の動作試験と更新後の連動システム２６の動作試験を行って試験時間の短縮を図っている。
【特許文献１】特開２００４−１７５１８２号公報
【特許文献２】特開２００５−２１２５３２号公報
【発明の開示】
【発明が解決しようとする課題】
【０００７】
前記のように切替リレー装置を使用した切替方法は、既設の連動システムと新規の連動システムを短時間で切り替えて試験することができ、試験時間を短縮できるが、切替リレー装置を使用するとともに既設の連動システムを新規の連動システムに切り替えた後に切替リレー装置を撤去する必要がありコスト高になるという短所がある。また、切替リレー装置の設置場所も確保する必要があるという問題もある。
【０００８】
この発明は、このような短所を改善し、既設の連動システムを新設の連動システムに更新するときに、簡単な構成で短時間に安定して切り替えることができるネットワーク方式連動システムの現場機器を提供することを目的とするものである。
【課題を解決するための手段】
【０００９】
この発明のネットワーク方式連動システムの現場機器は、新設するネットワーク方式連動システムと制御・表示情報を授受するシステム入出力インタフェースと、該システム入出力インタフェースと現場機器駆動部との間の制御・表示条件を授受する機器入出力インタフェースとを有する現場制御端末及び前記現場機器駆動部を備えた現場機器であって、前記現場制御端末は、前記ネットワーク方式連動システムから出力するシステム切替制御データにより制御されるとともに自現場制御端末に故障が発生するとコイルが非励磁になる故障検知リレーを有し、前記ネットワーク方式連動システムから出力するシステム切替制御データにより前記故障検知リレーのコイルが非励磁となり復旧接点が閉成されたとき、既設の連動システムと前記現場機器駆動部とを接続し、前記ネットワーク方式連動システムから出力するシステム切替制御データにより前記故障検知リレーのコイルが励磁されて動作接点が閉成されたとき、前記機器入出力インタフェースと前記現場機器駆動部とを接続し、この状態で自現場制御端末に故障が発生して前記故障検知リレーのコイルが非励磁となり復旧接点が閉成されたとき、前記機器入出力インタフェースと前記現場機器駆動部との接続を遮断することを特徴とする。
【発明の効果】
【００１３】
この発明は、新設するネットワーク方式連動システムの現場機器は現場制御端末と現場機器駆動部を内蔵し、現場制御端末はネットワーク方式連動システムから出力するシステム切替制御データにより自現場制御端末に有する故障検知リレーのコイルが非励磁となり復旧接点が閉成されたとき、既設の連動システムと現場機器駆動部とを接続し、ネットワーク方式連動システムから出力するシステム切替制御データにより故障検知リレーのコイルが励磁されて動作接点が閉成されたとき、ネットワーク方式連動システムと現場機器駆動部とを接続して、既設の連動システムと新設するネットワーク方式連動システムを切り替えることにより、既設の連動システムと新設するネットワーク方式連動システムを短時間で安定して切り替えることができるとともに誤接続が生じることを防ぐことができる。
【００１４】
また、新設の連動システムを設置するとき、切替リレー装置を設置する必要がないから余分な設置スペースを確保する必要がなく、既設の連動システムの更新を容易に行うことができる。さらに、既設の連動システムを撤去するとき、現場機器との接続を外すだけで済むから既設の連動システムの撤去作業を容易に行うことができる。
【発明を実施するための最良の形態】
【００１５】
図１は、この発明の現場制御端末の構成を示すブロック図である。図に示すように、現場制御端末１は、システム入出力インタフェース２と機器入出力インタフェース３と処理部４及び故障検出リレーＲとを有する。システム入出力インタフェース２は新設する例えば電子連動システム５と制御情報と表示情報を授受する。機器入出力インタフェース３は現場機器６の制御対象６１や表示対象６２を駆動する現場機器駆動部７と制御条件と表示条件を授受する。処理部４はシステム切替スイッチ８が新設する連動システム５を選択するためにオンとなり、現場制御端末用電源９から電力が供給されたとき、システム入出力インタフェース２と機器入出力インタフェース３の間で動作を行うとともに故障検出リレーＲのコイルを励磁する。故障検出リレーＲはコイルが非励磁となり復旧接点が閉成されたとき、既設の連動システム１０と現場機器駆動部７とを接続し、コイルが励磁されて動作接点が閉成されたとき、機器入出力インタフェース３と現場機器駆動部７とを接続する。
【００１６】
この現場制御端末１により既設の連動システム１０を新設する連動システム５に置き換えるときの切替方法について説明する。
【００１７】
所定の位置に配置した現場制御端末１のシステム入出力インタフェース２に新設する連動システム５を例えば伝送ケーブル１１で接続し、機器入出力インタフェース３に故障検出リレーＲの接点Ｒ１の動作接点を介して現場機器駆動部７の制御条件ラインを接続し、機器入出力インタフェース３に現場機器駆動部７の表示条件ラインを接続する。また、多芯ケーブル１２で接続されている既設の連動システム１０と現場機器駆動部７の制御条件ラインに故障検出リレーＲの接点Ｒ１の復旧接点を設けて、既設の連動システム１０と現場機器駆動部７の制御条件ラインを故障検出リレーＲの復旧接点を介して接続する。次に、現場制御端末１の電源端子と現場端末用電源９とをシステム切替スイッチ８を介して接続する。
【００１８】
この状態でシステム切替スイッチ８をオフにして既設の連動システム１０を選択すると、現場制御端末用電源９から現場制御端末１には電力が供給されず、故障検出リレーＲのコイルが非励磁となり、故障検出リレーＲの接点Ｒ１の復旧接点が閉成し、既設の連動システム１０と現場機器駆動部７との間を接続する。そこで既設の連動システム１０の更新前の実機運転を行って動作を確認する。
【００１９】
その後、システム切替スイッチ８をオンにして新設の連動システム５を選択すると、現場制御端末用電源９から現場制御端末１に電力が供給され、処理部４は故障検出リレーＲのコイルを励磁する。故障検出リレーＲのコイルが励磁されると接点Ｒ１の動作接点が閉成し、機器入出力インタフェース３と現場機器駆動部７との間を接続する。この状態で新設の連動システム７の実機運転を行うと処理部４はシステム入出力インタフェース２と機器入出力インタフェース３の間で制御情報と表示情報を授受する処理を行う。
【００２０】
このようにシステム切替スイッチ１０を切り替えて現場制御端末１に供給する電力を制御して故障検出リレーＲのコイルの非励磁と励磁を切り替え、既設の連動システム１０と新設の連動システム５の制御情報を切り替えることにより、既設の連動システム１０と新設の連動システム５を短時間で安定して切り替えることができる。また、新設の連動システム５を設置するとき、例えば複数の切替スイッチを有する切替リレー装置を設置する必要がないから余分な設置スペースを確保する必要がなく、既設の連動システム１０の更新を容易に行うことができる。さらに、既設の連動システム１０を撤去するとき、多芯ケーブル１２を取り外すだけで済むから既設の連動システム１０の撤去作業を容易に行うことができる。
【００２１】
既設の連動システム１０を撤去した後、新設の連動システム５から制御情報を出力しているとき、新設の連動システム５や現場制御端末１に故障が発生すると、故障検出リレーＲのコイルは非励磁となり、現場機器駆動部７に対する制御情報は遮断されるから、現場機器６が誤動作することを防ぐことができる。
【００２２】
前記説明では例えば電子連動システム５を既設の連動システム１０と置き換える場合について説明したが、次にネットワーク方式の連動システムを既設の連動システム１０と置き換える場合も同様に切り替えることができる。
【００２３】
ネットワーク方式の連動システム１３の現場機器１４は、図２のブロック図に示すように、制御対象６１と表示対象６２とともに現場機器駆動部７及び現場制御端末１を内蔵している。この現場機器駆動部７の制御条件ラインは故障検出リレーＲの接点Ｒ１の動作接点を介して現場制御端末１の機器入出力インタフェース３に接続され、故障検出リレーＲの接点Ｒ１の復旧接点を介して既設制御条件入力端子１５に接続されている。また、現場機器駆動部７の表示条件ラインは現場制御端末１の機器入出力インタフェース３と既設表示条件出力端子１６に接続されている。
【００２４】
この現場機器１４の制御情報入力端子１７と表示情報出力端子１８にネットワーク方式の連動システム１３をネットワーク１９により接続し、既設制御条件入力端子１５と既設表示条件出力端子１６に既設の連動システム１０を多芯ケーブル１２で接続する。そして現場機器１４の電源端子２０にシステム切替スイッチ８を介して現場制御端末用電源９を接続する。このシステム切替スイッチ８をオン・オフして既設の連動システム１０とネットワーク方式の連動システム１３の接続を切り替えることにより、既設の連動システム１０とネットワーク方式の連動システム１３の接続を簡単に切り替えることができる。
【００２５】
前記説明では現場制御端末１に供給する電力をシステム切替スイッチ８で制御して故障検出リレーＲのコイルを非励磁と励磁に切り替える場合について説明したが、現場制御端末１に供給する電力を制御しないで、ネットワーク方式の連動システム１３から出力する制御情報にシステム切替制御データを設け、このシステム制御データに基づいて現場制御端末１の故障検出リレーＲの動作を制御しても良い。
【図面の簡単な説明】
【００２６】
【図１】この発明の現場制御端末の構成を示すブロック図である。
【図２】この発明の現場機器の構成を示すブロック図である。
【図３】従来の切替リレー装置を設けて切り替える方法を示す構成図である。
【符号の説明】
【００２７】
１；現場制御端末、２；システム入出力インタフェース、
３；機器入出力インタフェース、４；処理部、５；新設する連動システム、
６；現場機器、７；現場機器駆動部、８；システム切替スイッチ、
９；現場制御端末用電源、１０；既設の連動システム、
１３；ネットワーク方式の連動システム、１４；現場機器。
【図１】
0004772013.tif 000002
【図２】
0004772013.tif 000003
【図３】
0004772013.tif 000004